(57)【要約】【課題】倒伏した便蓋と便座ボックス、ロータンクカバー等のケースとの間の間隙を小さくすることができる便蓋装置を提供する。【解決手段】便蓋１２の後縁１２ａの左右両端側に、前後方向に進退可能にスライダ１４，１４が取り付けられている。各スライダ１４は、引張りコイルばね１６によって常時前方に付勢されている。各スライダ１４は、回動軸１８を介して起倒回動可能に便座ボックス３Ａの凸部３ａに取り付けられている。便蓋１２が倒伏状態とされたときには、スライダ１４がばね１６の付勢力によって後縁１２ａから引込むことにより、便蓋１２が便座ボックス３Ａに接近移動する。これにより、便蓋１２の後縁１２ａと便座ボックス３Ａの前縁との間の間隙が小さくなる。【選択図】  図９
2004267347.tif 000002
【特許請求の範囲】
【請求項１】
洋風便器の後部上面に設置されたケースと、該ケースに対し起倒回動可能に連結された便蓋とを有する便蓋装置において、
該便蓋は、所定距離だけ接離方向に移動可能に該ケースに連結されていると共に、両者を接近方向に付勢する弾性部材が設けられていることを特徴とする便蓋装置。
【請求項２】
請求項１において、前記便蓋の後部の両側にスライダ保持部が設けられ、
該スライダ保持部にスライダが便蓋の前後方向に摺動自在に係合しており、
該スライダが前記弾性部材によって便蓋前方に付勢されており、
該スライダが前記ケースに対し回動可能に連結されていることを特徴とする便蓋装置。
【請求項３】
請求項１又は２において、便蓋の後縁が左端から右端まで一直線状に延在していることを特徴とする便蓋装置。
【発明の詳細な説明】
【０００１】
【発明の属する技術分野】
本発明は、洋風便器に設置される便蓋装置に関するものであり、特に便蓋の開閉構造を改良した便蓋装置に関する。
【０００２】
【従来の技術】
洋風便器の後部上面に便座ボックスやロータンクカバーが設置され、この便座ボックス又はロータンクカバーの前面に便座及び便蓋を起倒方向回動可能に取り付けた洋風便器設備が広く用いられている。
【０００３】
第１１図は便座ボックスを備えた洋風便器の一例を示し、第１２図はロータンクカバーを備えた洋風便器の一例を示している。
【０００４】
第１１図では、洋風便器１の後部上面にロータンク２が設置され、このロータンク２の前側に便座ボックス３が設置されている。この便座ボックス３に対し便座４と便蓋５とが起倒方向（上下方向）回動可能に連結されている。この便座ボックス３内には、便座着座者の臀部を温水で洗浄するための温水洗浄装置等が設置されている。
【０００５】
第１２図では、洋風便器１の後部上面にロータンクカバー６が設置され、このロータンクカバー６に対し便座４と便蓋５とが起倒回動可能に取り付けられている。このロータンクカバー６内には、ロータンク、温水洗浄装置等が設置されている。
【０００６】
この便蓋５と便座ボックス３又はロータンクカバー６との間には便座５の起倒回動を許容するように所定の間隙があいている。なお、この間隙を過度に狭くすると、便蓋５を起立させるときに便蓋５の後縁が便座ボックス３又はロータンクカバー６に当ってしまう。
【０００７】
特開２００１−３２３５３５号の第０００３段落では、この間隙に塵やゴミが入るという問題点が指摘されているが、この間隙を狭くするという構成は同号公報を含めて、従来、提案されていない。
【０００８】
【特許文献１】
特開２００１−３２３５３５号公報
【０００９】
【発明が解決しようとする課題】
本発明は、倒伏した便蓋と便座ボックス、ロータンクカバー等のケースとの間隙を小さくすることができる便蓋装置を提供することを目的とする。
【００１０】
【課題を解決するための手段】
本発明の便蓋装置は、洋風便器の後部上面に設置されたケースと、該ケースに対し起倒回動可能に連結された便蓋とを有する便蓋装置において、該便蓋は、所定距離だけ接離方向に移動可能に該ケースに連結されていると共に、両者を接近方向に付勢する弾性部材が設けられていることを特徴とするものである。
【００１１】
かかる本発明の便蓋装置にあっては、便蓋が接離方向に移動可能にケースに取り付けられているので、便蓋が倒伏状態にあるときに、便蓋を従来よりも後方に位置させることができ、倒伏した便蓋とケースとの間隙を小さくすることができる。本発明では、これらの便蓋とケースとは弾性部材によって接近方向に付勢されているので、便蓋が倒伏したときには、自動的に該便蓋がケースに接近移動して該便蓋とケースとの間隙が小さくなる。
【００１２】
なお、便蓋を起立させるときには、該弾性部材の付勢力に抗して便蓋をケースから離反させることにより、便蓋が起立回動するのに十分なスペースを該便蓋とケースとの間に生じさせることができる。
【００１３】
本発明の一態様においては、便蓋の後部の両側にスライダ保持部が設けられ、該スライダ保持部にスライダが便蓋の前後方向に摺動自在に係合しており、該スライダが弾性部材によって便蓋前方に付勢されており、該スライダがケースに対し回動可能に連結されている。
【００１４】
かかる構成とした場合、便蓋が倒伏状態とされたときには、スライダが弾性部材の付勢力によって便蓋前方に相対移動することにより、便蓋がケースに接近移動する。これにより、該便蓋とケースとの間の間隙が小さくなる。
【００１５】
本発明においては、便蓋の後縁が左端から右端まで一直線状に延在している構成であることが好ましい。このように便蓋の後縁を一直線状とすることにより、便蓋とケースとの間の間隙（合わせ目）が一層目立ちにくくなり、意匠的に非常に見栄えが良い。
【００１６】
なお、本発明において、この一直線状とは、便蓋の後縁が左端から右端まで湾曲することなく真一文字状に延在していることだけでなく、若干湾曲していることも含む。この若干の湾曲とは、便蓋の後縁の左端と右端とを結ぶ直線と、この直線から最も離隔した部位との距離が２０ｍｍ程度以下、好ましくは１０ｍｍ以下となるように延在していることをいう。
【００１７】
【発明の実施の形態】
以下、図面を参照して本発明の実施の形態について説明する。
【００１８】
第１図は本発明の実施の形態に係る便蓋装置の斜め後方から見た分解斜視図、第２図はこの便蓋装置の斜め前方から見た分解斜視図、第３図は便蓋の裏側の斜視図、第４図は第３図のＩＶ部分の平面図、第５図は第３図のＶ−Ｖ線に沿う断面図、第６図はスライダの斜視図、第７図はスライダ保持部の分解斜視図、第８図（ａ）は便蓋がケースに接近した状態を示す平面図、第８図（ｂ）は便蓋がケースから離反した状態を示す平面図、第９図は便蓋倒伏状態を示す第８図のＩＸ−ＩＸ線に沿う断面図、第１０図は便蓋起立状態を示す第９図と同様部分の断面図である。
【００１９】
なお、以下の説明において、前後方向及び左右方向とは便座に腰掛けた洋風便器使用者にとっての前後方向及び左右方向をいう。
【００２０】
第１図に示すように、この実施の形態では、洋風便器１の後部上面にケースとして便座ボックス３Ａが設置され、この便座ボックス３Ａの前面の下部に便座４と便蓋装置１０とが設けられている。該便座４の後縁部の左右両端側からは、それぞれ、後方（便座４が倒伏状態となっているときの後方。以下、同様。）に向って１対の延出部４ａ，４ａが延出している。便座ボックス３Ａの前面の下部には、これらの延出部４ａ，４ａ同士の間に突出する凸部３ａが設けられている。
【００２１】
各延出部４ａの内側面（延出部４ａ，４ａ同士の対向面）からは回動軸４ｂ（第８図）が突設されており、この回動軸４ｂが、凸部３ａの左右の側面に設けられた軸受孔３ｂ（第２図）に差し込まれている。この回動軸４ｂを介して、便座４は、起立方向及び倒伏方向に回動自在に該凸部３ａに取り付けられている。
【００２２】
第１図に示すように、この便座４の各延出部４ａの外側面（延出部４ａ、４ａ同士が離反する方向を向いた面）には、後述のスライダ１４の回動軸１８が差し込まれる軸受孔４ｃが設けられている。この軸受孔４ｃは、前記回動軸４ｂと同軸状に形成されている。
【００２３】
便蓋装置１０は、便蓋１２と、前後方向（便蓋１２が倒伏状態とされたときの前後方向。以下、同様。）に所定距離だけ進退可能に該便蓋１２の後縁１２ａの左端側及び右端側にそれぞれ配置されたスライダ１４，１４と、各スライダ１４を常時前方に付勢している弾性部材としての引張りコイルばね（以下、単に「ばね」と略。）１６とを有している。各スライダ１４の内側面（スライダ１４，１４同士の対向面）からは、前記便座４の各延出部４ａの軸受孔４ｃに差し込まれる回動軸１８が突設されている。
【００２４】
便蓋１２の後縁１２ａは、第８図に示すように、左端から右端まで一直線状に延在している。この後縁１２ａの左端側及び右端側には、それぞれスライダ１４を保持するためのスライダ保持部２０が設けられている。
【００２５】
便蓋１２は、第１図及び第２図に示すように、主板部１２ｂと、後縁１２ａを除く該主板部１２ｂの周縁から下面（便蓋１２が倒伏状態とされたときの下面）側に曲成された垂壁状部１２ｃとを有している。この垂壁状部１２ｃは、該主板部１２ｂの左右の側縁とこれらをつなぐ前縁とに沿って略Ｕ字状に形成されており、その両端は後縁１２ａに臨んでいる。該主板部１２ｂの左右の側部からは、この垂壁状部１２ｃの内側面に沿うようにして脚状部１２ｄが垂設されている。
【００２６】
スライダ保持部２０は、第４図に示すように、前後方向（第４図における左右方向）に延在した１対のガイド壁２２，２４と、該ガイド壁２２，２４の前端同士をつなぐエンド壁２６とを有している。該ガイド壁２２，２４同士は互いに平行に延在している。ガイド壁２４は垂壁状部１２ｃの後端側によって構成されている。
【００２７】
前記スライダ１４は、ばね１６と共にこれらのガイド壁２２，２４同士の間に配置されている。各ガイド壁２２，２４の内側面（ガイド壁２２，２４同士の対向面）には、それぞれ、第７図に示すように、該スライダ１４の移動を案内するための凸条２８，３０が前後方向に延設されている。
【００２８】
各ガイド壁２２，２４の後端は便蓋１２の後縁１２ａに臨んでおり、スライダ１４は、該後縁１２ａから便蓋１２の後方に突出したり引込んだりするように前後方向に移動する。
【００２９】
ガイド壁２２には、第５図に示すように、スライダ１４が後縁１２ａから引込むように前方移動したときに回動軸１８を受け入れるための凹所３２が設けられている。この凹所３２は、ガイド壁２２の後端縁から便蓋前方に向って延設された長Ｕ字形状のものである。
【００３０】
また、このガイド壁２２の内側面には、スライダ１４が後縁１２ａから突出するように後方移動したときに、後述のストッパ当接部４６に当接することによって該スライダ１４がスライダ保持部２０から抜け出すことを防止するための爪状ストッパ３４が設けられている。
【００３１】
エンド壁２６には、前記ばね１６の前端が掛止される掛止部材３６が設けられている。
【００３２】
このスライダ保持部２０にスライダ１４及びばね１６が配置された後、このスライダ保持部２０の下面に蓋部材２７が固着される。
【００３３】
スライダ１４は、第６図に示すように、便蓋前後方向を長手方向とする略直方体形状のものである。このスライダ１４の後端側から前記回動軸１８が突設されている。また、このスライダ１４の前端側には、ばね受入部３８が設けられている。このばね受入部３８は、スライダ１４の前端面から長手方向に延在する空所よりなる。このばね受入部３８の奥側にはバー４０が架設されており、このバー４０に該ばね１６の後端が掛止されている。
【００３４】
このばね１６は、スライダ保持部２０内において軸線方向に引き伸ばされた蓄力状態にて両端が該掛止部３６とバー４０とに掛止されており、これにより、スライダ１４が常時前方に付勢されている。
【００３５】
スライダ１４の両側面には、それぞれ便蓋前後方向に延在する凹条４２，４４が設けられており、これらの凹条４２，４４にそれぞれガイド壁２２，２４の前記凸条２８，３０が係合している。また、スライダ１４の内側面には、該スライダ１４が後縁１２ａから突出するように所定距離だけ後方移動したときに前記ストッパ３４に当接してこのスライダ１４の抜出しを阻止するストッパ当接部４６が設けられている。
【００３６】
第５図及び第６図に示すように、スライダ１４の角縁に沿って切り欠き状の凹条４８が長手方向に延設されている。ストッパ３４は、この凹条４８に係合している。
【００３７】
便蓋１２は、回動軸１８が軸受孔４ｃに差し込まれることにより、上下方向回動可能となっている。
【００３８】
第２図に示すように、凸部３ａの上面は、便蓋１２の主板部１２ｂの厚さ分だけ便座ボックス３Ａの上面から一段低くなっている。便蓋１２が倒伏状態とされたときには、第９図に示す通り、後縁１２ａが該凸部３ａの上面に重なり、便蓋１２の上面と便座ボックス３Ａの上面とが略面一状となるように配置される。
【００３９】
このように構成された便蓋装置１０において、便蓋１２が倒伏状態とされたときには、第８図（ａ）及び第９図に示すように、スライダ１４が該便蓋１２の後縁１２ａから引込むようにばね１６の付勢力（引張り力）によって前方移動することにより、便蓋１２が便座ボックス３Ａに接近移動する。これにより、該便蓋１２の後縁１２ａと便座ボックス３Ａの前縁との間の間隙が小さくなる。
【００４０】
このように便蓋１２が倒伏状態となっているときに該便蓋１２の後縁１２ａと便座ボックス３Ａの前縁との間の間隙が小さくなっていると、この間隙が目立ちにくく、意匠的に見栄えが良好であると共に、この間隙に塵やごみが入ることも防止され、衛生的である。
【００４１】
しかも、この実施の形態では、便蓋１２の後縁１２ａが一直線上に延在しているので、該後縁１２ａと便座ボックス３Ａの前縁との間隙が全く又は殆ど目立たない。
【００４２】
便蓋を起立させるときには、第８図（ｂ）に示すように、ばね１６の引張り力に抗して便蓋１２を前方に引張ることにより、スライダ１４が該便蓋１２の後縁１２ａから後方に突出し、該後縁１２ａと便座ボックス３Ａの前縁との間に、便蓋１２を起立回動させるのに十分なスペースが生じる。
【００４３】
また、このように便蓋１２を前方に引張らなくても、第１０図に示す如く便蓋１２を起立回動させることができる。即ち、第９図に示す如く便蓋１２の後縁１２ａと便座ボックス３Ａの前縁との間の間隙が小さくなっている状態で便蓋１２を起立させようとすると、この後縁１２ａと便座ボックス３Ａの前縁とが接触してそれ以上便蓋１２が起立回動しないようにも思われる。ところが、この後縁１２と便座ボックス３Ａの前縁との接触部を支点として引き続き便蓋１２を起立回動させていくと、スライダ１４がこの便蓋１２の回動に追従して後縁１２ａから突出し、便蓋１２をそのまま起立させることができるようになる。
【００４４】
この便蓋装置１０にあっては、便蓋１２を起立状態から倒伏させると、ばね１６の引張り力によって便蓋１２が便座ボックス３Ａに接近移動し、自動的に便蓋１２の後縁１２ａと便座ボックス３Ａの前縁との間の間隙が小さくなる。
【００４５】
上記の実施の形態は本発明の一例であり、本発明は上記の実施の形態に限定されるものではない。
【００４６】
上記の実施の形態ではケースとして便座ボックスを採用しているが、この便座ボックスの代りにロータンクカバーを採用してもよい。
【００４７】
【発明の効果】
以上の通り、本発明の便蓋装置によると、倒伏した便蓋と便座ボックス、ロータンクカバー等のケースとの間の間隙を小さくすることができ、これにより、この間隙に塵やゴミ等が入り込むことを抑制することが可能となる。しかも、本発明の便蓋装置にあっては、便蓋を倒伏させると自動的に該便蓋とケースとの間の間隙が小さくなる。
【図面の簡単な説明】
【図１】実施の形態に係る便蓋装置の分解斜視図である。
【図２】図１とは別方向から見た分解斜視図である。
【図３】便蓋の下面の斜視図である。
【図４】図３のＩＶ部分の平面図である。
【図５】図３のＶ−Ｖ線に沿う断面図である。
【図６】スライダの斜視図である。
【図７】スライダ保持部の分解斜視図である。
【図８】便蓋装置の作動態様を示す平面図である。
【図９】図８のＩＸ−ＩＸ線に沿う断面図である。
【図１０】便蓋起立状態を示す図９と同様部分の断面図である。
【図１１】便座ボックスを備えた洋風便器の一例を示す斜視図である。
【図１２】ロータンクカバーを備えた洋風便器の一例を示す斜視図である。
【符号の説明】
１  洋風便器
３，３Ａ  便座ボックス
３ａ  凸部
４  便座
５  便蓋
６  ロータンクカバー
１０  便蓋装置
１２  便蓋
１４  スライダ
１６  引張りコイルばね
１８  回動軸
２０  スライダ保持部
【図１】
2004267347.tif 000003
【図２】
2004267347.tif 000004
【図３】
2004267347.tif 000005
【図４】
2004267347.tif 000006
【図５】
2004267347.tif 000007
【図６】
2004267347.tif 000008
【図７】
2004267347.tif 000009
【図８】
2004267347.tif 000010
【図９】
2004267347.tif 000011
【図１０】
2004267347.tif 000012
【図１１】
2004267347.tif 000013
【図１２】
2004267347.tif 000014